(57)【要約】【課題】ムラの低減を図ることができ、正面輝度を向上させることができる。【解決手段】光学シート組合せ体１０は、ディスプレイの照明光路制御に使用される２枚の第１光学シート１１と第２光学シート１２とを積層させて組み合わせたものであり、これら２枚の光学シート１１、１２の基材の屈折率が光源側からディスプレイ出射側に向かうにしたがって大きくなる構成とした。光学シート１１、１２には、それぞれ光の入射面側または出射面側の少なくともいずれか一方の面に単位レンズ１１２、１２３を多数配列した。【選択図】図１
2011095562.tif 000002
【特許請求の範囲】
【請求項１】
ディスプレイの照明光路制御に使用される複数の光学シートを積層させて組み合わせた光学シート組合せ体であって、
複数の前記光学シートの基材の屈折率が光源側からディスプレイ出射側に向かうにしたがって大きくなる構成とされたことを特徴とする光学シート組合せ体。
【請求項２】
前記光学シートには、光の入射面側または出射面側の少なくともいずれか一方の面に単位レンズを多数配列してなることを特徴とする請求項１に記載の光学シート組合せ体。
【請求項３】
重なり合う二枚の前記光学シートどうしの間の屈折率差は、出射面側の光学シートが入射面側の光学シートよりも０．０１以上大きいことを特徴とする請求項１又は２に記載の光学シート組合せ体。
【請求項４】
前記光学シートの基材の集光能力は、光源側からディスプレイ出射側に向かうにしたがって大きくなることを特徴とする請求項１乃至３のいずれかに記載の光学シート組合せ体。
【請求項５】
請求項１乃至４のいずれかに記載の光学シート組合せ体の背面に配置され、
光源と、該光源から発せられた光を入射し、その入射した光を拡散させることで光量ムラを低減させて拡散光を射出する拡散板と、を備えることを特徴とするバックライトユニット。
【請求項６】
請求項５に記載のバックライトユニットと、
該バックライトを背面に備え、画素単位での透過／遮光に応じて表示画像を規定する画像表示素子と、
を備えることを特徴とするディスプレイ装置。
【発明の詳細な説明】
【技術分野】
【０００１】
本発明は、照明光路制御に用いられる凹凸形状光学シート、光源ユニットおよびディスプレイ装置に関するものであって、とくに、フラットパネルディスプレイに代表される画像表示装置における照明光路制御に使用される光学シート組合せ体、バックライトユニット及びディスプレイ装置に関するものである。
【背景技術】
【０００２】
近年、ＴＦＴ（Ｔｈｉｎ  Ｆｉｌｍ  Ｔｒａｎｓｉｓｔｏｒ）型液晶パネルやＳＴＮ(Ｓｕｐｅｒ  Ｔｗｉｓｔｅｄ  Ｎｅｍａｔｉｃ)型液晶パネルを使用した液晶ディスプレイ装置は、主としてＯＡ分野のカラーノートＰＣ（パーソナルコンピュータ）を中心に商品化されている。このような液晶ディスプレイ装置においては、液晶パネルの背面側（観察者側とは反対側）に光源を配置し、この光源からの光で液晶パネルを照明する方式、いわゆる、バックライト方式が採用されている。
【０００３】
この種のバックライト方式に採用されているバックライトユニットとしては、大別して冷陰極管（ＣＣＦＴ：Ｃｏｌｄ  Ｃａｔｈｏｄｅ  Ｆｌｕｏｒｅｓｃｅｎｔ  Ｔｕｂｅ）等の光源ランプを、光透過性に優れたアクリル樹脂等からなる平板状の導光板内で多重反射させる「導光板ライトガイド方式」（いわゆる、「エッジライト方式」）と、導光板を用いずに冷陰極管（ＣＣＦＴ）等の光源ランプからの光で直接照明する「直下型方式」とがある。
【０００４】
導光板ライトガイド方式のバックライトユニットが搭載された液晶ディスプレイ表示装置としては、例えば、図４に示すものが一般に知られている。
図４に示す液晶ディスプレイ装置５０は、表裏両面を偏光板５１、５２で挟んでなる液晶パネル５３が上部に位置して配設され、液晶パネル５３の下面側に略長方形板状のＰＭＭＡ（ポリメチルメタクリレート）やアクリル等の透明な基材からなる導光板５４が設置されており、この導光板５４の上面（光射出面５４ａ側）に拡散フィルム５５（拡散層）が設けられている。さらに、導光板５４の下面には、導光板５４に導入された光を効率よく液晶パネル５３に向け均一となるように散乱して反射させるための散乱反射パターン部（図示省略）が印刷などによって設けられるとともに、前記散乱反射パターン部の下方に反射フィルム５６（反射層）が設けられている。
【０００５】
また、導光板５４には、その側端部に光源ランプ５７が設けられており、さらに光源ランプ５７の光を効率よく導光板５４中に入射させるべく、光源ランプ５７の背面側を覆うようにして高反射率のランプリフレクター５８が設けられている。前記散乱反射パターン部は、白色である二酸化チタン（ＴｉＯ２）粉末を透明な接着剤等の溶液に混合した混合物を、所定パターン、例えばドットパターンにて印刷し乾燥、形成したものであり、導光板５４内に入射した光に指向性を付与し、光射出面５４ａ側へと導くようになっている。これは、高輝度化を図るための工夫である。
【０００６】
しかし、図４に例示した装置では、視野角の制御が拡散フィルム５５の拡散性のみに委ねられており、その制御が難しいという問題があった。例えば、正面方向から見た場合は液晶ディスプレイの表示画面は明るいが、横方向から見た場合には表示画面が暗くなる場合があり、また液晶表示画面の中心部は明るく、周辺部が暗くなる欠点もあった。このように、光の利用効率が悪いという問題があった。
【０００７】
一方、直下型方式は、導光板の利用が困難な大型の液晶ＴＶなどの表示装置が用いられている。
直下型方式の液晶ディスプレイ装置としては、図５に例示する装置が一般的に知られている。
図５に示す液晶ディスプレイ装置６０は、表裏両面を偏光板６１、６２に挟んでなる液晶パネル６３が上部に位置して配設され、液晶パネル６３の下面側に蛍光管等からなる光源６４が配置される。さらに、光源６４の上面側に拡散フィルム６５のような光学シートが設けられている。また、光源６４の背面には、光源６４から液晶パネル６３と反対の方向に向かう光を液晶パネル６３側へ反射させるリフレター６６が配置されている。これによって、光源６４から射出される光は拡散フィルム６５で拡散され、この拡散光を高効率で液晶パネル６３の有効表示エリアに集光させるものである。
【０００８】
しかし、図５に示した液晶ディスプレイ装置６０では、視野角の制御が拡散フィルム６５の拡散性のみに委ねられているため、その制御は難しいという問題があった。例えば、液晶表示画面を正面方向から見た場合はその表示画面は明るいが、液晶表示画面を横方向から見た場合にはその表示画面が暗くなる場合があり、また液晶表示画面の中心部は明るく、周辺部が暗くなる欠点もあった。このように、光の利用効率が悪いという問題があった。
【０００９】
そこで、上述の問題を解決する一つの方法として、図６に示す液晶ディスプレイ装置７０では、米国３Ｍ社の登録商標である輝度強調フィルム（Ｂｒｉｇｈｔｎｅｓｓ  Ｅｎｈａｎｃｅｍｅｎｔ  Ｆｉｌｍ：ＢＥＦ）７１をバックライト用照明光源７４の上方に位置して配置され、さらに、ＢＥＦ７１の上方である光出射面側に図示しない光拡散フィルムを配置する方法が採用されている。ＢＥＦ７１は、透明基材７２の上面である光出射面に、断面が三角形状の単位プリズム７３が一方向に一定のピッチで配列されたフィルムである。この単位プリズム７３は光の波長に比較して大きいサイズ（ピッチ）である。ＢＥＦは、“軸外（ｏｆｆ−ａｘｉｓ）”からの光を集光し、この光を視聴者に向けて“軸上（ｏｎ−ａｘｉｓ）”に方向転換（ｒｅｄｉｒｅｃｔ）または“リサイクル（ｒｅｃｙｃｌｅ）”する。
【００１０】
輝度強調フィルム７１は、ディスプレイ装置の使用時（観察時）に、軸外輝度を低下させることによって軸上輝度を増大させ、ディスプレイ装置の表示品位を向上させる。ここで言う「軸上」とは、視聴者の視覚方向に一致する方向であり、一般的にはディスプレイ画面に対する法線方向である。また、輝度強調フィルム７１は、通常、単位プリズムの反復的アレイ構造が１方向のみの配列からなり、その配列方向での方向転換またはリサイクルのみが可能となる。そのため、水平方向及び垂直方向の両方向での表示光の輝度制御を行なうためには、単位プリズム群の配列方向が互いに略直交するように、２枚のＢＥＦシートを重ねて組み合わせて用いる必要がある。
【００１１】
そこで、最近では、光利用効率をアップして高輝度化を図るために、図７に示すように、拡散フィルム５５と液晶パネル５３との間に、光集光機能を備えたプリズムフィルム（プリズム層）５９（５９１、５９２）を設けることが提案されている。このプリズムフィルム５９１、５９２は導光板５４の光射出面５４ａから射出され、拡散フィルム５５で拡散された光を高効率で液晶パネル５３の有効表示エリアに集光させるものである。このようなＢＥＦを採用することにより、ディスプレイ設計者が電力消費を低減しながら所望の軸上輝度を達成することができるようになった。このようなＢＥＦに代表されるプリズムの反復的アレイ構造を有する輝度制御部材をディスプレイ装置に採用した技術は、例えば特許文献１乃至３等において従来から知られている。
【先行技術文献】
【特許文献】
【００１２】
【特許文献１】特公平１−３７８０１号公報
【特許文献２】特開平６−１０２５０６号公報
【特許文献３】特表平１０−５０６５００号公報
【発明の概要】
【発明が解決しようとする課題】
【００１３】
しかしながら、上述した従来の液晶ディスプレイ装置では、以下のような問題があった。
すなわち、ＢＥＦ７１に代表されるプリズムシートやレンチキュラーシートは、一般的に輝度は高いが、隠蔽性が低く、背面の光源の影が透けて見え易いという欠点があり、影が見えてしまうと、ムラとして視認されてしまうという問題があった。
また、この問題を改善するためには、拡散シートなどの複数の光学シートを重ねる方法もあるが、部材数が増えるために、最適な部材を重ねないと輝度の低下を引き起こしてしまうことから、その点で改良の余地があった。
【００１４】
本発明は、上述する問題点に鑑みてなされたもので、ムラの低減を図ることができ、正面輝度を向上させることができる光学シート組合せ体、バックライトユニット及びディスプレイ装置を提供することを目的とする。
【課題を解決するための手段】
【００１５】
上記目的を達成するため、本発明に係る光学シート組合せ体では、ディスプレイの照明光路制御に使用される複数の光学シートを積層させて組み合わせた光学シート組合せ体であって、複数の光学シートの基材の屈折率が光源側からディスプレイ出射側に向かうにしたがって大きくなる構成とされたことを特徴としている。
【００１６】
本発明では、複数の光学シートの屈折率を光源側からディスプレイ出射側に向かうにしたがって大きくすることで、出射側に光を集光させて正面輝度を向上させることができる。さらに、十分な光散乱性能を得ることが可能となることから、複数の光学シートを積層させても、隠蔽性を高めることができ、背面の光源の影が見え難くなり、これによりムラを低減することができる。
【００１７】
また、本発明に係る光学シート組合せ体では、光学シートには、光の入射面側または出射面側の少なくともいずれか一方の面に単位レンズを多数配列してなることが好ましい。
本発明では、光学シートの単位レンズの形状、数量を変更することで任意の屈折率に設定することができ、最適な光学シートの組み合わせを実現することができる。
【００１８】
また、本発明に係る光学シート組合せ体では、重なり合う二枚の光学シートどうしの間の屈折率差は、出射面側の光学シートが入射面側の光学シートよりも０．０１以上大きいことが好ましい。
これにより、光学シート組合せ体に高い光散乱性能をもたせることができ、より確実に輝度の向上を図ることができる。
【００１９】
また、本発明に係る光学シート組合せ体では、光学シートの基材の集光能力は、光源側からディスプレイ出射側に向かうにしたがって大きくなることがより好ましい。
本発明では、輝度が必要とされる部分に確実に集光させることができるので、光学性能の向上を図ることができる。
【００２０】
また、本発明に係るバックライトユニットでは、上述した光学シート組合せ体の背面に配置され、光源と、光源から発せられた光を入射し、その入射した光を拡散させることで光量ムラを低減させて拡散光を射出する拡散板とを備えることを特徴としている。
本発明では、上述した光学シート組合せ体を備え、ムラを抑えつつ正面輝度を向上させることができ、しかも拡散板によって用途に応じて適宜に拡散と集光の度合いを変えることが可能となるので、光学性能を高めることができる。
【００２１】
また、本発明に係るディスプレイ装置では、上述したバックライトユニットと、バックライトを背面に備え、画素単位での透過／遮光に応じて表示画像を規定する画像表示素子とを備えることを特徴としている。
本発明では、上述した光学シート組合せ体を有するバックライトユニットを備えていることから、用途に応じて適宜に拡散と集光の度合いを変えることができ、光学性能を高めることが可能となり、良好な表示品位の画像を提供することができる。
【発明の効果】
【００２２】
本発明の光学シート組合せ体、バックライトユニット及びディスプレイ装置によれば、屈折率の異なる複数の光学シートを積層することで、光源の影によるムラを抑えることができるうえ、複数の光学シートを屈折率の小さい順に光源側からディスプレイ出射側に配置することで、集光能力が高まり、十分な光散乱性能が得られることから、正面輝度を向上させることができる。
【図面の簡単な説明】
【００２３】
【図１】本発明の第１の実施の形態によるディスプレイ装置の概略構成を示す模式的な断面図である。
【図２】図１に示すディスプレイ装置に用いられる光学シート組合せ体の斜視図である。
【図３】本発明の第２の実施の形態によるディスプレイ装置の概略構成を示す模式的な断面図である。
【図４】従来の液晶ディスプレイ装置の構成例を示す模式的な断面図である。
【図５】従来の液晶ディスプレイ装置の他の構成例を示す模式的な断面図である。
【図６】従来のバックライトユニットの一例を示す模式的な断面図である。
【図７】従来の液晶ディスプレイ装置の他の構成例を示す模式的な断面図である。
【発明を実施するための形態】
【００２４】
以下、本発明の第１の実施の形態による光学シート組合せ体、バックライトユニット及びディスプレイ装置について、図１及び図２に基づいて説明する。
【００２５】
図１において、符号１はディスプレイ装置であり、符号２、３はそれぞれディスプレイ装置１に備えられたディスプレイ用のバックライトユニット、液晶パネル（画像表示素子）を示している。
ここで、以下の説明では、図１に示すディスプレイ装置１において、液晶パネル３側を上側とし、バックライトユニット２の後述する導光板４２側を下側といい、液晶パネル３の平面に対する法線方向を上下方向といい、その上下方向で上側を出射側、下側を光源側或いは入射側という。
【００２６】
図１に示すディスプレイ装置１は、上方に光を照射するバックライトユニット２の光の送出側に液晶パネル３を重ねて設けることで構成される液晶表示装置であり、液晶パネル３から上側に向けて画像信号によって表示制御された表示光を送出することで画像を表示するものである。
【００２７】
液晶パネル３は、偏光板３１、３２間に液晶素子３３が挟持されて構成されている。
バックライトユニット２は、液晶パネル３の表示画面と略同一の面積の発光面を備えたエッジライト型の発光装置であり、ランプハウス４と、このランプハウス４の上面側に配置した凹凸形状に成形された光学シート組合せ体１０を備えている。
【００２８】
ランプハウス４は、側方に所定間隔をもって配置された複数の光源４１、４１、…と、これら光源４１、４１、…と対面して配設されるとともにそれらの光Ｋを法線方向に出射する導光板４２とを備えて概略構成されている。
光源４１としては、冷陰極管（ＣＣＦＬ）、ＬＥＤ、ＥＬまたは半導体レーザー等を用いることができる。
なお、本実施の形態の導光板４２には、その裏面４２ｂに反射パターンや幾何学構造をなすドット４３が付与されていている。
【００２９】
光学シート組合せ体１０は、導光板４２の出射側に配置され、その導光板４２から出射される光Ｋを正面（上面）に集光させるものであって、複数枚（第１の実施の形態では２枚）の光学シート（第１光学シート１１と第２光学シート１２）が上下方向に積層されて組み合わせられている。そして、光学シート組合せ体１０は、所定の大きさのバックライトユニット２に組み込めるような大きさ、形状とされ、片面に光を集光もしくは拡散させる光学形状を有している。
【００３０】
図２に示すように、第１光学シート１１及び第２光学シート１２は、それぞれ光の出射面側あるいは入射面側の少なくとも一方の面（ここでは出射面側）に、複数の単位レンズが配列する構成となっている。これにより、光学シート１１、１２のそれぞれの単位レンズの形状、数量を変更することで任意の屈折率に設定することができ、最適な光学シートの組み合わせを実現することができる。
【００３１】
出射側に近い上側（観察者Ｓ側）に位置する第１光学シート１１は、表面形状が断面視三角形のプリズム形状をなし、一定の厚みを有しており、その厚みに相当する基材１１１上に第１単位レンズ１１２を複数配列させた屈折率１．５９のポリカーボネートシートからなる構造である。
また、光源側に近い下側に位置する第２光学シート１２は、表面形状が四角錘形状をなし、屈折率が１．５１のアートンフィルム(ＪＳＲ株式会社製)基材１２１上の光の出射面１２１ａ側に、硬化後屈折率が１．５１になるウレタンアクリレート系紫外線硬化樹脂によりクロスストライプ状の第２単位レンズ１２３を有している。
つまり、第２単位レンズ１２３となる材質は、対向する第１光学シート１１の屈折率より小さくなっている。
【００３２】
各光学シート１１、１２の主となる材質としては、光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマー等が挙げられる。
【００３３】
また、光学シート組合せ体１０において互いに対向する第１光学シート１１と第２光学シート１２との間の屈折率差は、より出射面側となる光学シート（ここでは第１光学シート１１）が０．０１以上大きくなっている。これは、屈折率の差がこれより小さいと十分な光散乱性能が得られないためであり、前記屈折率の差を０．０１以上より大きくすることで、光学シート組合せ体１０に高い光散乱性能をもたせることができ、より確実に輝度の向上を図ることができる。
【００３４】
各光学シート１１、１２およびそれぞれの単位レンズ１１２、１２３の製造方法は、製造コストを考慮した場合、押出し方式で製造するのが好ましいが、基材１１１、１２１と単位レンズ１１２、１２３とが光透過性の材料であれば異なる材料であってもよく、透明基材上に紫外線硬化樹脂にて単位レンズを付与しても良い。
【００３５】
このように、バックライトユニット２は、光源４１、４１、…からの光Ｋが導光板４２に入射した後、導光板４２の出射面４２ａから光学シート組合せ体１０の第２光学シート１２、第１光学シート１１の順序で透過して符号Ｌａの光として出射され、その光Ｌａは一対の偏光板３１、３２に挟まれた液晶層３３に到達し、さらに液晶パネル３を透過した光Ｌａは上側（正面側）へ出射し、観察者Ｓによって視認される構成となっている。
【００３６】
このように光学シート組合せ体１０を設けることで、２枚の光学シート１１、１２の屈折率を光源側からディスプレイ出射側に向かうにしたがって大きくすることで、出射側に光を集光させて正面輝度を向上させることができる。さらに、十分な光散乱性能を得ることが可能となることから、２枚の光学シート１１、１２を積層させても、隠蔽性を高めることができ、背面の光源の影が見え難くなり、これによりムラを低減することができる。
【００３７】
上述のように本第１の実施の形態による光学シート組合せ体、バックライトユニット及びディスプレイ装置では、屈折率の異なる複数の光学シート１１、１２を積層することで、光源の影によるムラを抑えることができるうえ、複数の光学シート１１、１２を屈折率の小さい順に光源側からディスプレイ出射側に配置することで、集光能力が高まり、十分な光散乱性能が得られることから、正面輝度を向上させることができる。
【００３８】
次に、本発明による光学シート組合せ体、バックライトユニット及びディスプレイ装置の他の実施の形態について、添付図面に基づいて説明するが、上述の第１の実施の形態と同一又は同様な部材、部分には同一の符号を用いて説明を省略し、第１の実施の形態と異なる構成について説明する。
【００３９】
図３に示す第２の実施の形態は、本発明の光学シート組合せ体の更に他の実施の形態である。すなわち、光学シート組合せ体１０Ａは、第３光学シート１３、第４光学シート１４、第１光学シート１２がこの順序で光源側から出射側に向けて配置されている。
より光源側に近い第３光学シート１３は、アートンフィルム基材１３１上の光の出射面１３ａに、ウレタンアクリレート系紫外線硬化樹脂により成形された断面半球形状の複数の第３単位レンズ１３２、１３２、…を有している。これら第３単位レンズ１３２は、基材１３１全面にわたって配置されている。
【００４０】
そして、第３光学シート１３の出射面１３１ａに対向する第４光学シート１４は、屈折率が１．５７のＰＥＴフィルム基材１４１上の光の出射面１４１ａに、硬化後屈折率が１．５４になるエポキシアクリレート系紫外線硬化樹脂により成形された断面三角形状の複数の第４単位レンズ１４２、１４２、…と断面略半球状の第５単位レンズ１４３、１４３、…とが混在する構造となっている。このように、第４単位レンズ１４２と第５単位レンズ１４３とが混在することで、配向特性も混在し、背面の光源の影の隠蔽性の向上を図ることが可能である。この際、単位レンズ１４２、１４３の材質は、出射側で対向する第１光学シート１２の屈折率より小さい必要がある。
なお、出射面側の第１光学シート１２は、上述した第１の実施の形態と同様の構成であるので、ここでは詳細な説明は省略する。
【実施例】
【００４１】
次に、上述した第１および第２実施の形態による光学シート組合せ体、バックライトユニット及びディスプレイ装置の効果を裏付けるための試験例について以下説明する。
【００４２】
本実施例では、表１に示すように６種の光学シートＡ１、Ｂ１、Ｃ１、Ａ２、Ｂ２、Ｃ２を作製し、そのうちの２種の光学シート（表２で光源側光学シート１と射出側光学シート２）を表２に示すように適宜組み合わせた１２種の光学シート組合せ体において、それぞれ輝度を測定する試験（試験例１〜１２）を行った。
【００４３】
【表１】
2011095562.tif 000003
【００４４】
【表２】
2011095562.tif 000004
【００４５】
先ず、各光学シートＡ１、Ｂ１、Ｃ１、Ａ２、Ｂ２、Ｃ２は、符号Ａ１、Ｂ１、Ｃ１の光学シートが断面形状三角形であり、符号Ａ２、Ｂ２、Ｃ２の光学シートがクロスストライプ形状であり、さらに具体的には以下のとおりである。なお、作製した各光学シートＡ１、Ｂ１、Ｃ１、Ａ２、Ｂ２、Ｃ２の構造、材質、基材の屈折率および単位レンズの屈折率は、表１に示すとおりである。
【００４６】
第１光学シートＡ１は、１００μｍ厚みのアートンフィルム(ＪＳＲ株式会社製)を基材とする光学シートを基材上に断面三角形状単位レンズの逆形状を有する金型を用いてウレタンアクリレート系紫外線硬化樹脂にを紫外線を照射し単位レンズ形状を付与することにより作製したものである。また、第４光学シートＡ２は、アートンフィルムを基材とし、断面クロスストライプ状の単位レンズの逆形状を有する金型を用いて、同様の方法で作製した。
【００４７】
第２光学シートＢ１は、１２５μｍ厚みのＰＥＴフィルムを基材とする光学シートを基材上に単位レンズの逆形状を有する金型を用いてウレタンアクリレート系紫外線硬化樹脂にを紫外線を照射し断面三角形状単位レンズ形状を付与することにより作製した。また、第５光学シートＢ２は、ＰＥＴフィルムを基材とし、断面クロスストライプ状の単位レンズの逆形状を有する金型を用いて、同様の方法で作製した。
【００４８】
第３光学シートＣ１は、材料にポリカーボネートを用いて押出し方式で製造することにより、断面三角形状単位レンズを有する総厚２４０μｍで作製した。また、第６光学シートＣ２は、断面クロスストライプ状の単位レンズの逆形状を有する金型を用いて、同様のポリカーボネート押出し方式で作製した。
【００４９】
次に、作成した第１〜第６光学シートＡ１、Ｂ１、Ｃ１、Ａ２、Ｂ２、Ｃ２のそれぞれを適宜組み合わせ、表２に示すように、試験例１〜１２で用いる光学シート組合せ体を設定した。つまり、試験例１では第１光学シートＡ１のみ、試験例２では第２光学シートＢ１のみ、試験例３では第３光学シートＣ１のみを用い、試験例４〜１２では光源側光学シートにはクロスストライプ状の単位レンズを設けた光学シートＡ２、Ｂ２、Ｃ２を配置し、射出側光学シートには三角形状の単位レンズを設けた光学シートＡ１、Ｂ１、Ｃ１を配置した組み合わせによるものである。
そして、試験例１〜１２において、上記光学シート組合せ体に対して、図１に示す第１の実施の形態のディスプレイ装置に組み込み、分光放射計ＳＲ−３Ａ（株式会社トプコン製）を用いて画面の法線方向で５０ｃｍの距離から、測定角０．２°で輝度を測定した。
【００５０】
ここで、表２における相対輝度は、試験例３の第３光学シートＣ１のみの構成での輝度を基準値１００％とし、相対輝度１００％以上であるものは正面輝度が向上していると評価した。その結果、試験例４〜１２で用いた２枚を組み合わせた光学シート組合せ体においては、すべて相対輝度が１００％を超えていることが確認できた。
【００５１】
以上、本発明による光学シート組合せ体、バックライトユニット及びディスプレイ装置の第１および第２の実施の形態について説明したが、本発明は上記の実施の形態に限定されるものではなく、その趣旨を逸脱しない範囲で適宜変更可能である。
例えば、本実施の形態によるディスプレイ装置１は液晶表示装置としているが、これに限定されることはなく、投射スクリーン装置、プラズマディスプレイ装置、ＥＬディスプレイ装置など、画像を光により表示する表示装置であればディスプレイ装置の種類は問わない。
【００５２】
そして、本実施の形態による光学シート組合せ体１０、１０Ａにおいて、光学シートの基材の集光能力は、光源側からディスプレイ出射側に向かうにしたがって大きくなる構成であってもよい。これにより、輝度が必要とされる部分に確実に集光させることができるので、光学性能の向上を図ることができる。
また、凹凸形状成形の光学シート組合せ体１２と液晶パネル３との間には、他の光学シートを配設しても良い。
さらに、単位レンズの形状は、プリズム形状、四角錐形状などに限定されることはない。
【００５３】
なお、光学シート組合せ体１０、１０Ａは、複数の光学シートからなれば良いが、シート境界面が増え過ぎることによる光量ロスを考慮すれば、２枚または３枚の組み合わせであることが好ましい。
【符号の説明】
【００５４】
１  ディスプレイ装置
２  バックライトユニット
３  液晶パネル（画像表示素子）
４  ランプハウス
４１  光源
４２  導光板
１０、１０Ａ  光学シート組合せ体
１１  第１光学シート
１２  第２光学シート
１３  第３光学シート
１４  第３光学シート
１１１、１２１、１３１、１４１  基材
１１２、１２３、１３２、１４２、１４３  単位レンズ
Ｋ  光源からの光
Ｌａ  導光板からの光
【図１】
2011095562.tif 000005
【図２】
2011095562.tif 000006
【図３】
2011095562.tif 000007
【図４】
2011095562.tif 000008
【図５】
2011095562.tif 000009
【図６】
2011095562.tif 000010
【図７】
2011095562.tif 000011